【手続補正書】
【提出日】令和3年3月1日(2021.3.1)
【手続補正１】
【補正対象書類名】特許請求の範囲
【補正対象項目名】全文
【補正方法】変更
【補正の内容】
【特許請求の範囲】
【請求項１】
アルゴンビーム機能を有する単極伸縮電気外科用ペンシルであって、
第１および第２の端部を有する、チャネルを備えるハンドピース部材と、
前記チャネル内に収容された第１の非導電性中空管と、
前記チャネル内に収容された導電性中空管と、
第１および第２の端部を有する中空伸縮部材であって、前記中空伸縮部材の前記第２の端部が前記ハンドピース部材内に収容されている中空伸縮部材と、
前記第１の非導電性中空管と摺動自在に係合する第２の非導電性中空管であって、前記中空伸縮部材内に収容された第２の非導電性中空管と、
前記中空伸縮部材および前記導電性中空管の少なくとも一部内に収容された中実導電性円筒部材と、
前記中空伸縮部材の前記第１の端部内に配置された電気外科用ブレードアセンブリであって、対向する細長い縁部を備える対向する平坦側部および鋭利な切断端を有する非導電性平坦部材、前記対向する平坦側部のうちの少なくとも１つの側部に位置する導電層であって、前記非導電性平坦部材の前記対向する細長い縁部のうちの少なくとも１つに隣接する導電層、ならびに内部に収容された中空筒状開口および内部に収容されたスロットを有する非導電性管状部材であって、前記スロットが前記導電層の少なくとも一部の上に配置されており、前記第２の非導電性中空管が前記非導電性管状部材に接続されている非導電性管状部材を含む、電気外科用ブレードアセンブリと
を備える、単極伸縮電気外科用ペンシル。
【請求項２】
前記非導電性管状部材における前記スロットが、前記電気外科用ブレードアセンブリの前記非導電性平坦部材の前記対向する平坦側部の少なくとも一部の上にも配置されている、請求項１に記載の単極伸縮電気外科用ペンシル。
【請求項３】
前記非導電性管状部材の前記中空筒状開口が、前記中空筒状開口を通して供給された不活性ガスが前記電気外科用ブレードアセンブリの前記導電層の少なくとも一部と接触することになるように配置されている、請求項１に記載の単極伸縮電気外科用ペンシル。
【請求項４】
前記第１の非導電性中空管および前記導電性中空管を前記ハンドピース部材の前記チャネル内に保持するための少なくとも１つの支持部材をさらに備える、請求項１に記載の単極伸縮電気外科用ペンシル。
【請求項５】
前記第２の非導電性中空管および前記中実導電性円筒部材を前記中空伸縮部材内に保持するための少なくとも１つの支持部材をさらに備える、請求項１に記載の単極伸縮電気外科用ペンシル。
【請求項６】
前記ハンドピース部材の前記第２の端部に接続された回転部材をさらに備える、請求項１に記載の単極伸縮電気外科用ペンシル。
【請求項７】
前記電気外科用ブレードアセンブリの前記非導電性管状部材がセラミックを含む、請求項１に記載の単極伸縮電気外科用ペンシル。
【請求項８】
前記電気外科用ブレードアセンブリの前記非導電性平坦部材がセラミックを含む、請求項１に記載の単極伸縮電気外科用ペンシル。
【請求項９】
前記電気外科用ブレードアセンブリの前記非導電性管状部材の少なくとも一部が、前記中空伸縮部材の前記第１の端部の外側に配置されている、請求項１に記載の単極伸縮電気外科用ペンシル。
【請求項１０】
前記導電性中空管がその外面上に絶縁体を含む、請求項１に記載の単極伸縮電気外科用ペンシル。
【請求項１１】
前記電気外科用ブレードアセンブリの前記導電層が、前記非導電性平坦部材の前記対向する平坦側部のうちの１つまたは複数に位置する閉ループ状部分を形成する、請求項１に記載の単極伸縮電気外科用ペンシル。
【請求項１２】
前記導電層が、前記非導電性平坦部材の対向する平坦側部の両方の上にあり、前記対向する平坦側部のそれぞれに位置する前記細長い閉ループ状部分を結合するように前記対向する平坦側部のそれぞれの前記対向する細長い縁部の一部を被覆する、請求項１１に記載の単極伸縮電気外科用ペンシル。
【請求項１３】
アルゴンビーム機能を有する単極伸縮電気外科用ペンシルであって、
第１および第２の端部を有する、チャネルを備えるハンドピース部材と、
前記チャネル内に収容された第１の非導電性中空管と、
第１および第２の端部を有する中空伸縮部材であって、前記中空伸縮部材の前記第２の端部が前記ハンドピース部材内に収容されている中空伸縮部材と、
前記第１の非導電性中空管と摺動自在に係合する第２の非導電性中空管であって、前記中空伸縮部材内に収容された第２の非導電性中空管と、
前記中空伸縮部材の前記第１の端部内に配置された電気外科用ブレードアセンブリであって、対向する細長い縁部を備える対向する平坦側部および鋭利な切断端を有する非導電性平坦部材、前記対向する平坦側部のうちの少なくとも１つの側部に位置する導電層であって、前記非導電性平坦部材の前記対向する細長い縁部のうちの少なくとも１つに隣接する導電層、ならびに内部に収容された中空筒状開口および内部に収容されたスロットを有する非導電性管状部材であって、前記スロットが前記導電層の少なくとも一部の上に配置されており、前記第２の非導電性中空管が前記非導電性管状部材に接続されている非導電性管状部材を含む、電気外科用ブレードアセンブリと
を備える、単極伸縮電気外科用ペンシル。
【請求項１４】
前記非導電性管状部材における前記スロットが、前記電気外科用ブレードアセンブリの前記非導電性平坦部材の前記対向する平坦側部の少なくとも一部の上にも配置されている、請求項１３に記載の単極伸縮電気外科用ペンシル。
【請求項１５】
前記非導電性管状部材の前記中空筒状開口が、前記中空筒状開口を通して供給された不活性ガスが前記電気外科用ブレードアセンブリの前記導電層の少なくとも一部と接触することになるように配置されている、請求項１３に記載の単極伸縮電気外科用ペンシル。
【請求項１６】
前記第１の非導電性中空管を前記ハンドピース部材の前記チャネル内に保持するための少なくとも１つの支持部材をさらに備える、請求項１３に記載の単極伸縮電気外科用ペンシル。
【請求項１７】
前記第２の非導電性中空管を前記伸縮部材内に保持するための少なくとも１つの支持部材をさらに備える、請求項１３に記載の単極伸縮電気外科用ペンシル。
【請求項１８】
前記導電層が、前記非導電性平坦部材の前記対向する細長い縁部のうちの少なくとも１つの少なくとも一部をさらに被覆する、請求項１３に記載の単極伸縮電気外科用ペンシル。
【請求項１９】
第１および第２の端部を有する、チャネルを備えるハンドピース部材と、
第１および第２の端部を有する中空伸縮部材であって、前記中空伸縮部材の前記第２の端部が前記ハンドピース部材内に収容されている中空伸縮部材と、
前記中空伸縮部材の前記第１の端部内に配置された電気外科用ブレードであって、対向する細長い縁部を備える対向する平坦側部および鋭利な切断先端を有する非導電性平坦部材、ならびに前記対向する平坦側部のうちの少なくとも１つに位置する導電層であって、前記切断先端に隣接する前記少なくとも１つの対向する平坦側部の少なくとも一部を被覆することなく前記非導電性平坦部材の前記対向する細長い縁部のうちの少なくとも１つに隣接する導電層を含む、電気外科用ブレードと、
前記電気外科用ブレードを前記中空伸縮部材の少なくとも一部内に保持するための支持部材と
を備える、単極伸縮電気外科用ペンシル。
【請求項２０】
前記導電層が、前記非導電性平坦部材の前記対向する細長い縁部のうちの少なくとも１つの少なくとも一部をさらに被覆する、請求項１９に記載の単極伸縮電気外科用ペンシル。
【手続補正２】
【補正対象書類名】明細書
【補正対象項目名】０００２
【補正方法】変更
【補正の内容】
【０００２】
本発明は一般に、アルゴンビーム機能を有する電気外科用ペンシルを含む電気外科用ペンシルを対象とする。より詳細には、本発明は、アルゴンビーム機能を有する単極伸縮電気外科用ペンシルであって、第１および第２の端部を有する、チャネルを備えるハンドピース部材と、チャネル内に収容された第１の非導電性中空管およびチャネル内に収容された導電性中空管と、第１および第２の端部を有する中空伸縮部材であって、中空伸縮部材の第２の端部がハンドピース部材内に収容されている中空伸縮部材と、第１の非導電性中空管と摺動自在に係合する第２の非導電性中空管であって、中空伸縮部材内に収容された第２の非導電性中空管と、中空伸縮部材および導電性中空管の少なくとも一部内に収容された中実導電性円筒部材と、中空伸縮部材の第１の端部内に配置された電気外科用ブレードアセンブリであって、対向する細長い縁部を備える対向する平坦側部および鋭利な切断端を有する非導電性平坦部材、対向する平坦側部のうちの少なくとも１つに位置する導電
層であって、非導電性平坦部材の対向する細長い縁部のうちの少なくとも１つに隣接する導電層、ならびに中空筒状開口およびスロットを有する非導電性管状部材であって、スロットが導電層の少なくとも一部の上に配置されており、第２の非導電性中空管が非導電性管状部材に接続されている非導電性管状部材を含む、電気外科用ブレードアセンブリとを含む、単極伸縮電気外科用ペンシルに関する。
【手続補正３】
【補正対象書類名】明細書
【補正対象項目名】００１０
【補正方法】変更
【補正の内容】
【００１０】
本発明の単極伸縮電気外科用ペンシルにおける電気外科用ブレードアセンブリの導電層は、非導電性平坦部材の対向する平坦側部のうちの１つまたは複数に位置する閉ループ状部分を形成してもよい。さらに、導電層の閉ループ状部分が非導電性平坦部材の対向する平坦側部の両方に位置するとき、それらは、非導電性平坦部材の対向する平坦側部の両方上の２つの閉ループ状部分が結合されるように、非導電性平坦部材の対向する細長い縁部のうちの１つの少なくとも一部をさらに被覆してもよい。
【手続補正４】
【補正対象書類名】明細書
【補正対象項目名】００１７
【補正方法】変更
【補正の内容】
【００１７】
図１および図２は、本発明のアルゴンビーム機能を有する単極伸縮電気外科用ペンシル１０の第１の例示的な実施形態の透視図を示し、電気外科用ペンシルのハンドピース部材１２から分離された中空伸縮部材２０、および電気外科用ペンシル１０の内部要素を示す。アルゴンビーム機能を有する単極伸縮電気外科用ペンシル１０は、第１の端部１６および第２の端部１８を有する、チャネル１４を備えるハンドピース部材１２と、第１の端部２２および第２の端部２４を有する中空伸縮部材２０であって、中空伸縮部材２０の第２の端部２４が、ペンシル１０の使用時にハンドピース部材１２内に収容されるようにハンドピース部材１２の第１の端部１６に挿入される、中空伸縮部材２０とを含む。アルゴンビーム機能を有する単極伸縮電気外科用ペンシル１０を伸縮自在にするために、第１の非導電性中空管２６および導電性中空管２８がハンドピース部材１２内に位置し、第２の非導電性中空管３０および中実導電性円筒部材３２が中空伸縮部材２０内に位置し、それにより、第１の非導電性中空管２６は第２の非導電性中空管３０と伸縮自在に係合することができ、導電性中空管２８は中実導電性円筒部材３２と伸縮自在に係合することができる。図１および図２に示す実施形態では、第２の非導電性中空管３０は、第１の非導電性中空管２６と摺動自在に係合するように、第１の非導電性中空管２６よりも小さい直径を有し、第１の非導電性中空管２６内に収まる。さらに、中実導電性円筒部材３２は、導電性中空管２８と摺動自在に係合するように、導電性中空管２８よりも小さい直径を有し、導電性中空管２８内に収まる。
【手続補正５】
【補正対象書類名】明細書
【補正対象項目名】００１９
【補正方法】変更
【補正の内容】
【００１９】
アルゴンビーム機能を有する単極伸縮電気外科用ペンシル１０はまた、第１の非導電性中空管２６および導電性中空管２８をハンドピース部材１２のチャネル１４内に保持するための少なくとも１つの支持部材５２をも含んでもよい。アルゴンビーム機能を有する単極伸縮電気外科用ペンシル１０はまた、第２の非導電性中空管３０および中実導電性円筒部材３２を中空伸縮部材２０内に保持するための少なくとも１つの支持部材５４をも含んでもよい。さらに、アルゴンビーム機能を有する単極伸縮電気外科用ペンシル１０はまた、電気外科用ペンシル１０の使用中に、電気外科用ペンシル１０への抵抗、および煙排出のためにペンシルの端部に取り付けられた真空管（図示せず）のねじれを排除または低減するためにハンドピース部材１２の第２の端部１８に接続された、回転部材５６をも含んでもよい。
【手続補正６】
【補正対象書類名】明細書
【補正対象項目名】００２２
【補正方法】変更
【補正の内容】
【００２２】
図３は、本発明のアルゴンビーム機能を有する単極伸縮電気外科用ペンシル１００の第２の例示的な実施形態の拡大部分透視図であり、電気外科用ペンシルのハンドピース部材１１２から分離された中空伸縮部材１２０、および電気外科用ペンシルの内部要素を示す。図１および図２に示す実施形態のように、アルゴンビーム機能を有する単極伸縮電気外科用ペンシル１００は、第１の端部１１６および第２の端部を有する、チャネル１１４を備えるハンドピース部材１１２と、第１の端部１２２および第２の端部１２４を有する中空伸縮部材１２０であって、中空伸縮部材１２０の第２の端部１２４が、ペンシル１００の使用時にハンドピース部材１１２内に収容されるようにハンドピース部材１１２の第１の端部１１６に挿入される、中空伸縮部材１２０とを含む。アルゴンビーム機能を有する単極伸縮電気外科用ペンシル１００を伸縮自在にするために、第１の非導電性中空管１２６および導電性中空管１２８がハンドピース部材１１２内に位置し、第２の非導電性中空管１３０および中実導電性円筒部材１３２が中空伸縮部材１２０内に位置し、それにより、第１の非導電性中空管１２６は第２の非導電性中空管１３０と伸縮自在に係合することができ、導電性中空管１２８は中実導電性円筒部材１３２と伸縮自在に係合することができる。しかし、図３に示す実施形態では、第１の非導電性中空管１２６は、第２の非導電性中空管１３０と摺動自在に係合するように、第２の非導電性中空管１３０よりも小さい直径を有し、第２の非導電性中空管１３０内に収まる。中実導電性円筒部材１３２は図１および図２と同じであり、導電性中空管１２８と摺動自在に係合するように、導電性中空管１２８よりも小さい直径を有し、導電性中空管１２８内に収まる。
【手続補正７】
【補正対象書類名】明細書
【補正対象項目名】００２６
【補正方法】変更
【補正の内容】
【００２６】
アルゴンビーム機能を有する単極伸縮電気外科用ペンシル１００はまた、第１の非導電性中空管１２６および導電性中空管１２８をハンドピース部材１１２のチャネル１１４内に保持するための少なくとも１つの支持部材１５２をも含んでもよい。アルゴンビーム機能を有する単極伸縮電気外科用ペンシル１００はまた、第２の非導電性中空管１３０および中実導電性円筒部材１３２を中空伸縮部材１２０内に保持するための少なくとも１つの支持部材１５４をも含んでもよい。電気外科用ブレードアセンブリ１３４の非導電性管状部材１４６は、支持部材１５４に収まっていてもよい。あるいは、電気外科用ブレードア
センブリ１３４が、支持部材１５４から取り外し、支持部材１５４に再び取り付けることができる別個の取外し可能なユニットを形成するように、第２の非導電性中空管１３０が支持部材１５４に収まっていてもよい。さらに、アルゴンビーム機能を有する単極伸縮電気外科用ペンシル１００はまた、電気外科用ペンシル１００の使用中に、電気外科用ペンシル１００への抵抗、および煙排出のためにペンシルの端部に取り付けられた真空管（図示せず）のねじれを排除または低減するためにハンドピース部材１１２の第２の端部に接続された、回転部材をも含んでもよい。
【手続補正８】
【補正対象書類名】明細書
【補正対象項目名】００２７
【補正方法】変更
【補正の内容】
【００２７】
図４および図５は、本発明のアルゴンビーム機能を有する単極伸縮電気外科用ペンシル２００の第３の例示的な実施形態の透視図を示し、電気外科用ペンシル２００のハンドピース部材２１２から分離された中空伸縮部材２２０、および電気外科用ペンシル２００の内部要素を示す。アルゴンビーム機能を有する単極伸縮電気外科用ペンシル２００は、第１および第２の端部２１６，２１８を有する、チャネル２１４を備えるハンドピース部材２１２と、チャネル２１４内に収容された第１の非導電性中空管２２６と、第１および第２の端部２２２，２２４を有する中空伸縮部材２２０であって、第２の端部２２４がハンドピース部材２１２内に収容されている中空伸縮部材２２０と、第１の非導電性中空管２２６と摺動自在に係合する第２の非導電性中空管２３０であって、中空伸縮部材２２０内に収容された第２の非導電性中空管２３０と、中空伸縮部材２２０の第１の端部２２２内に配置された電気外科用ブレードアセンブリ２３４であって、対向する細長い縁部２４０を備える対向する平坦側部２３８および鋭利な切断端２４２を有する非導電性平坦部材２３６、対向する平坦側部２３８のうちの少なくとも１つに位置する導電層２４４であって、非導電性平坦部材２３６の対向する細長い縁部２４０のうちの少なくとも１つに隣接する導電層２４４、ならびに中空筒状開口２４８およびスロット２５０を有する非導電性管状部材２４６であって、スロット２５０が電気外科用ブレードアセンブリ２３４の導電層２４４の少なくとも一部の上に配置されており、第２の非導電性中空管２３０が非導電性管状部材２４６に接続されている非導電性管状部材２４６を含む、電気外科用ブレードアセンブリ２３４とを含む。アルゴンビーム機能を有する単極伸縮電気外科用ペンシル２００はまた、第１の非導電性中空管２２６をハンドピース部材２１２のチャネル２１４内に保持するための少なくとも１つの支持部材２５２と、第２の非導電性中空管２３０を中空伸縮部材２２０内に保持するための少なくとも１つの支持部材２５４とを含んでもよい。さらに、電気外科用ブレードアセンブリ２３４の導電層２４４は、非導電性管状部材２４６の中空筒状開口２４８を通して供給された不活性ガスが導電層２４４の少なくとも一部と接触することになるように、非導電性平坦部材２３６の対向する細長い縁部２４０のうちの少なくとも１つの少なくとも一部を被覆することが好ましい。
【手続補正９】
【補正対象書類名】明細書
【補正対象項目名】００２８
【補正方法】変更
【補正の内容】
【００２８】
導電層２４４の少なくとも一部の上に配置されていることに加えて、非導電性管状部材２４６におけるスロット２５０は、非導電性平坦部材２３６の対向する平坦側部２３８の少なくとも一部の上にも配置されていてもよい。電気外科用ブレードアセンブリ２３４の
非導電性管状部材２４６の少なくとも一部は、中空伸縮部材２２０の第１の端部２２２の外側に配置されていることが好ましい。電気外科用ブレードアセンブリ２３４の導電層２４４は、非導電性平坦部材２３６の対向する平坦側部２３８の一方または両方に位置する閉ループ状部分を形成してもよい。加えて、導電層２４４の閉ループ状部分が非導電性平坦部材２３６の対向する平坦側部２３８の両方に位置するとき、それらは、閉ループ状部分が非導電性平坦部材２３６の上部の上で結合されるように、非導電性平坦部材２３６の対向する細長い縁部２４０の一部をも被覆してもよい。電気外科用ブレードアセンブリ２３４の非導電性平坦部材２３６および非導電性管状部材２４６は、セラミック材料を含んでもよい。
【手続補正１０】
【補正対象書類名】明細書
【補正対象項目名】００２９
【補正方法】変更
【補正の内容】
【００２９】
アルゴンビーム機能を有する単極伸縮電気外科用ペンシル２００を伸縮自在にするために、中空伸縮部材２２０の第２の端部２２４は、ペンシル２００の使用時にハンドピース部材２１２内に収容されるようにハンドピース部材２１２の第１の端部２１６に挿入される。さらに、第１の非導電性中空管２２６はハンドピース部材２１２内に位置し、第２の非導電性中空管２３０は中空伸縮部材２２０内に位置し、それにより、第１の非導電性中空管２２６は第２の非導電性中空管２３０と伸縮自在に係合することができる。図４および図５に示す実施形態では、第２の非導電性中空管２３０は、第１の非導電性中空管２２６と摺動自在に係合するように、第１の非導電性中空管２２６よりも小さい直径を有し、第１の非導電性中空管２２６内に収まる。
【手続補正１１】
【補正対象書類名】明細書
【補正対象項目名】００３１
【補正方法】変更
【補正の内容】
【００３１】
図６は、本発明のアルゴンビーム機能を有する単極伸縮電気外科用ペンシル３００の第４の例示的な実施形態の拡大部分図であり、電気外科用ペンシル３００のハンドピース部材３１２から分離された中空伸縮部材３２０、および電気外科用ペンシル３００の内部要素を示す。図４および図５に示す実施形態のように、アルゴンビーム機能を有する単極伸縮電気外科用ペンシル３００は、第１の端部３１６および第２の端部を有する、チャネル３１４を備えるハンドピース部材３１２と、第１の端部３２２および第２の端部３２４を有する中空伸縮部材３２０であって、中空伸縮部材３２０の第２の端部３２４が、ペンシル３００の使用時にハンドピース部材３１２内に収容されるようにハンドピース部材３１２の第１の端部３１６に挿入される、中空伸縮部材３２０とを含む。アルゴンビーム機能を有する単極伸縮電気外科用ペンシル３００を伸縮自在にするために、第１の非導電性中空管３２６がハンドピース部材３１２内に位置し、第２の非導電性中空管３３０が中空伸縮部材３２０内に位置し、それにより、第１の非導電性中空管３２６は第２の非導電性中空管３３０と伸縮自在に係合することができる。しかし、図６に示す実施形態では、第１の非導電性中空管３２６は、第２の非導電性中空管３３０と摺動自在に係合するように、第２の非導電性中空管３３０よりも小さい直径を有し、第２の非導電性中空管３３０内に収まる。
【手続補正１２】
【補正対象書類名】明細書
【補正対象項目名】００３４
【補正方法】変更
【補正の内容】
【００３４】
図４および図５を参照して先に述べたように、図６に示す電気外科用ブレードアセンブリ３３４の導電層３４４は、非導電性平坦部材３３６の対向する平坦側部３３８の一方または両方に位置する閉ループ状部分を形成してもよい。加えて、導電層３４４の閉ループ状部分が非導電性平坦部材３３６の対向する平坦側部３３８の両方に位置するとき、それらは、閉ループ状部分が非導電性平坦部材３３６の上部の上で結合されるように、非導電性平坦部材３３６の対向する細長い縁部３４０の一部をも被覆してもよい。電気外科用ブレードアセンブリ３３４の非導電性平坦部材３３６および非導電性管状部材３４６は、セラミック材料を含んでもよい。
【手続補正１３】
【補正対象書類名】明細書
【補正対象項目名】００３５
【補正方法】変更
【補正の内容】
【００３５】
アルゴンビーム機能を有する単極伸縮電気外科用ペンシル３００はまた、第１の非導電性中空管３２６をハンドピース部材３１２のチャネル３１４内に保持するための少なくとも１つの支持部材３５２をも含んでもよい。アルゴンビーム機能を有する単極伸縮電気外科用ペンシル３００はまた、第２の非導電性中空管３３０を中空伸縮部材３２０内に保持するための少なくとも１つの支持部材３５４をも含んでもよい。電気外科用ブレードアセンブリ３３４の非導電性管状部材３４６は、支持部材３５４に収まっていてもよい。あるいは、電気外科用ブレードアセンブリ３３４が、支持部材３５４から取り外し、支持部材３５４に再び取り付けることができる別個の取外し可能なユニットを形成するように、第２の非導電性中空管３３０が支持部材３５４に収まっていてもよい。さらに、アルゴンビーム機能を有する単極伸縮電気外科用ペンシル３００はまた、電気外科用ペンシル３００の使用中に、電気外科用ペンシル３００への抵抗、および煙排出のためにペンシルの端部に取り付けられた真空管（図示せず）のねじれを排除または低減するためにハンドピース部材３１２の第２の端部に接続された、回転部材をも含んでもよい。
【手続補正１４】
【補正対象書類名】明細書
【補正対象項目名】００３７
【補正方法】変更
【補正の内容】
【００３７】
図７は、アルゴンビーム機能を有しない単極伸縮電気外科用ペンシル４００の例示的な実施形態の透視図であり、電気外科用ペンシル４００のハンドピース部材４１２から分離された中空伸縮部材４２０、および電気外科用ペンシル４００の内部要素を示す。図８は、図７に示す図と同じであるが、単極伸縮電気外科用ペンシル４００を１８０度回転させて示してあり、図９は図７の拡大部分図である。
【手続補正１５】
【補正対象書類名】明細書
【補正対象項目名】００３８
【補正方法】変更
【補正の内容】
【００３８】
アルゴンビーム機能を有しない単極伸縮電気外科用ペンシル４００は、第１および第２の端部４１６，４１８を有する、チャネル４１４を備えるハンドピース部材４１２と、第１および第２の端部４２２，４２４を有する中空伸縮部材４２０であって、第２の端部４２４がハンドピース部材４１２内に収容されている中空伸縮部材４２０と、中空伸縮部材４２０の第１の端部４２２内に配置された電気外科用ブレード４３３であって、対向する細長い縁部４４０を備える対向する平坦側部４３８および切断先端４４２を有する非導電性平坦部材４３６、ならびに対向する平坦側部４３８のうちの少なくとも１つに位置する導電層４４４であって、切断先端４４２に隣接する対向する平坦側部４３８の少なくとも一部を被覆することなく非導電性平坦部材４３６の対向する細長い縁部４４０のうちの少なくとも１つに隣接する導電層４４４を含む、電気外科用ブレード４３３と、電気外科用ブレード４３３を中空伸縮部材４２０内に保持するための支持部材４５４とを含む。
【手続補正１６】
【補正対象書類名】明細書
【補正対象項目名】００３９
【補正方法】変更
【補正の内容】
【００３９】
単極伸縮電気外科用ペンシル４００を伸縮自在にするために、中空伸縮部材４２０の第２の端部４２４は、ペンシル４００の使用時にハンドピース部材４１２内に収容されるようにハンドピース部材４１２の第１の端部４１６に挿入される。
【手続補正１７】
【補正対象書類名】図面
【補正対象項目名】全図
【補正方法】変更
【補正の内容】
【図１】
2020508810.tif 000001
【図２】
2020508810.tif 000002
【図３】
2020508810.tif 000003
【図４】
2020508810.tif 000004
【図５】
2020508810.tif 000005
【図６】
2020508810.tif 000006
【図７】
2020508810.tif 000007
【図８】
2020508810.tif 000008
【図９】
2020508810.tif 000009